(57)【要約】【課題】見切り材への天井材の収まりを良好にできる。【解決手段】インナーガレージ２６の天井３６には、側壁３０Ａ側の野縁４０の下面に見切り材５２の上板７０が取り付けられている。スパンドレル５０は、羽部５４、５６が野縁４０の下面に取り付けられて野縁４０に支持されている。また、スパンドレル５０には、長手方向端部の羽部５４、５６の上板７０との相互干渉部分が切り欠かれた切欠き部７６が形成されており、スパンドレル５０は、切欠き部７６側の端部が見切り材５２の収納部７４に挿入されている。これにより、天井３６は、スパンドレル５０の羽部５４、５６が見切り材５２の上板７０に干渉するのが防止されて、見切り材５２へのスパンドレル５０の長手方向端部の収まりを良好にできる。【選択図】図１
2019196613.tif 000002
【特許請求の範囲】
【請求項１】
長手方向と交差する方向に所定間隔で複数配置されることで天井下地を形成する野縁と、
帯板状の一方の面が天井面とされると共に、幅方向両端部に前記天井面側とは反対側に向けて曲げられて幅方向外側に延出された羽部が形成され、複数が幅方向に配列された際に隣接する前記羽部が重ねられ、重ねられた前記羽部が前記野縁の下面に取り付けられることで、前記野縁に支持された天井材と、
前記天井下地の周縁部に配置され、上板が前記野縁の下面に取り付けられると共に、前記配列された前記天井材が前記上板と該上板に対向された下板との間に挿入配置されることで、前記下板が前記天井材の周縁部下側を覆う見切り材と、
前記見切り材の前記上板と前記下板との間に挿入された前記天井材の長手方向端部において、前記天井材の前記羽部又は該羽部に重なる前記上板に形成され、前記羽部と前記上板との相互干渉部分を受け入れる切欠き部と、
を含む建物の天井構造。
【請求項２】
前記切欠き部は、前記羽部が切欠かれて前記天井材に形成され、前記見切り材は、前記天井材の前記切欠き部において前記野縁に固定されている請求項１に記載の建物の天井構造。
【請求項３】
前記見切り材は、前記天井材とは反対側が前記天井下地を囲う壁面の直近に配置されている請求項１又は請求項２に記載の建物の天井構造。
【発明の詳細な説明】
【技術分野】
【０００１】
本発明は、スパンドレルなどの目透かし張り用の天井材を用いた建物の天井構造に関する。
【背景技術】
【０００２】
特許文献１には、軒裏野縁に対する取付施工を簡易にし、軒天井材の支持を補助できる軒裏見切の構造が記載されている。特許文献１の技術では、野縁受けプレートを介して外壁と平行に軒裏野縁を支持すると共に、軒裏野縁と直交するように配置した軒先野縁の下面に軒先天井板を配置している。また、特許文献１の技術では、軒裏見切の断面略コ字状の取付具を軒裏野縁の長手方向に略等間隔に配置して軒裏野縁の下側に固定し、取付具の各々に軒裏見切の横断面略Ｌ字状の見切本体を係止させており、軒先天井板は、外壁側端部が取付具に挿入されて、軒先野縁への支持が取付具によって補助されている。
【０００３】
一方、天井材には、鋼板製帯状のスパンドレルがあり、スパンドレルは、防火性能を備えた天井材として、軒天などの建物において屋外に開放された天井に多用されている。また、スパンドレルは、目透かし張り用の天井材としても用いられており、スパンドレルには、幅方向の両端部に張り出すように羽部が形成されている。
【０００４】
スパンドレルを用いた天井では、隣接するスパンドレルの間で羽部が重ねられると共に、重ねられた羽部が野縁の下面に取り付けられることで、スパンドレルの各々が野縁に支持されると共に、隣接するスパンドレルの間に透かし目地が形成される。
【先行技術文献】
【特許文献】
【０００５】
【特許文献１】特開２００４−０２７４９７号公報
【発明の概要】
【発明が解決しようとする課題】
【０００６】
ところで、スパンドレルを用いた天井においても周縁部に見切り材が取り付けられる。ここで、見切り材を壁面ではなくスパンドレルと同様に野縁に取り付けようとした場合、スパンドレルの羽部と見切り材とが干渉してしまう。このため、スパンドレルの端部の見切り材への収まりが悪くなり、天井の見栄えが低下してしまう。
【０００７】
本発明は上記事実に鑑みてなされたものであり、見切り材への天井材の収まりを良好にできる建物の天井構造の提供を目的とする。
【課題を解決するための手段】
【０００８】
上記目的を達成するために本発明の第１の態様の建物の天井構造は、長手方向と交差する方向に所定間隔で複数配置されることで天井下地を形成する野縁と、帯板状の一方の面が天井面とされると共に、幅方向両端部に前記天井面側とは反対側に向けて曲げられて幅方向外側に延出された羽部が形成され、複数が幅方向に配列された際に隣接する前記羽部が重ねられ、重ねられた前記羽部が前記野縁の下面に取り付けられることで、前記野縁に支持された天井材と、前記天井下地の周縁部に配置され、上板が前記野縁の下面に取り付けられると共に、前記配列された前記天井材が前記上板と該上板に対向された下板との間に挿入配置されることで、前記下板が前記天井材の周縁部下側を覆う見切り材と、前記見切り材の前記上板と前記下板との間に挿入された前記天井材の長手方向端部において、前記天井材の前記羽部又は該羽部に重なる前記上板に形成され、前記羽部と前記上板との相互干渉部分を受け入れる切欠き部と、を含む。
【０００９】
第１の態様の建物の天井構造では、複数の野縁が該野縁の長手方向と交差する方向に所定間隔で配置されて天井下地が形成されており、天井下地の周縁部には、見切り材が配置されて、見切り材の上板が野縁の下面に取り付けられる。
【００１０】
天井材は、帯板状の一方の面が天井面とされると共に、幅方向両端部に天井面側とは反対側に向けて曲げられて幅方向外側に延出された羽部が形成された目透かし張り用とされている。天井材は、野縁の下側に配列されて、隣接する天井材の羽部が重ねられて野縁の下面に取り付けられる。また、野縁の下側に配列された天井材の周縁部は、見切り材の上板と下板との間に挿入されて、見切り材の下板によって覆われる。
【００１１】
ここで、天井材の長手方向の端部と見切り材の上板との間において、天井材の羽部又は該羽部に重なる上板には、羽部と上板との相互干渉部分を受け入れる切欠き部が形成されている。このため、天井材の羽部と見切り材の上板とが野縁の下面に取り付けられていても、天井材の長手方向の端部を見切り材の上板と下板との間に挿入した際、天井材の羽部と見切り材の上板とが重なって干渉してしまうのが防止される。これにより、見切り材への天井材の収まりを良好にできる。
【００１２】
第２の態様の建物の天井構造は、第１の態様の天井構造において、前記切欠き部は、前記羽部が切欠かれて前記天井材に形成され、前記見切り材は、前記天井材の前記切欠き部において前記野縁に固定されている。
【００１３】
一般に、目透かし張り用の天井材を用いる場合、天井の目地割りが行われ、目地割りに合せて天井材の位置が決められる。このため、見切り材の上板と天井材の羽部との相互干渉部分の位置は、目地割りによって変化する。
【００１４】
第２の態様の建物の天井構造では、天井材の長手方向端部において羽部が切り欠かれて切欠き部が形成されている。このため、目地割りによって見切り材の上板に対する天井材の羽部の相互干渉部分の位置が変化しても、見切り材への天井材の収まりを良好にできる。これにより、見切り材への天井材の収まりを良好にするための作業を容易にできる。
【００１５】
第３の態様の建物の天井構造は、第１又は第２の態様の建物の天井構造において、前記見切り材は、前記天井材とは反対側が前記天井下地を囲う壁面の直近に配置されている。
【００１６】
第３の態様の建物の天井構造では、見切り材を壁の直近に配置されており、見切り材は、天井下地の野縁に取り付けられている。このため、壁の材質が見切り材を取り付け難い材質であっても、見切り材を壁面に取り付けたのと同様の状態にできて、見切り材の取り付け作業を容易にできる。
【発明の効果】
【００１７】
以上説明したように第１の態様の建物の天井構造によれば、見切り材への天井材の収まりを良好にできる、という効果を有する。
【００１８】
第２の態様の建物の天井構造によれば、天井の目地割りにかかわらず見切り材への天井材の収まりを良好にするための作業を容易にできる。
【００１９】
第３の態様の建物の天井構造によれば、見切り材を壁面に取り付けることなく、見切り材を壁面に取り付けたのと同様の状態にできて、見切り材の取り付け作業を容易にできる。
【図面の簡単な説明】
【００２０】
【図１】本実施形態に係る天井の主要部を示す斜視図である。
【図２】本実施形態に係る建物の主要部を示す概略図である。
【図３】インナーガレージ内を示す概略図である。
【図４】（Ａ）は、天井の主要部のスパンドレルの長手方向視の概略図、（Ｂ）は、天井の主要部のスパンドレルの幅方向視の概略図である。
【図５】（Ａ）は、スパンドレルを示す長手方向視の断面図、（Ｂ）は、見切り材を示す長手方向視の断面図である。
【図６】（Ａ）は、スパンドレルの幅方向に沿う天井の主要部の断面図、（Ｂ）は、スパンドレルの長手方向に沿う天井の主要部の断面図である。
【図７】変形例に係る天井の主要部を示す斜視図である。
【図８】変形例に係るスパンドレルの長手方向に沿う天井の主要部の断面図である。
【図９】本実施形態及び変形例とは異なる天井の主要部のスパンドレル長手方向に沿う断面図である。
【発明を実施するための形態】
【００２１】
以下に、図面を参照して本発明の実施形態を詳細に説明する。
図２には、本実施形態に係る建物１０の主要部が正面側から見た概略立面図（遠近法による立面図）にて示されている。
【００２２】
建物１０は、躯体が鉄骨軸組構造とされている。また、図２に示すように、建物１０は、２階建てとされている。なお、建物１０は、鉄骨軸組構造に限らず、各々が鉄骨によって枠組みされた複数の建物用ユニットを縦横に配列されることで鉄骨ラーメン構造の躯体が形成されるユニット式の建物（ユニット住宅）であってもよく、建物１０は、躯体が鉄骨軸組構造及び鉄骨ラーメン構造以外の構造であってもよい。また、建物１０は、平屋であってもよく、３階建て以上であってもよい。
【００２３】
建物１０の外周部には、外壁部１２が形成されており、建物１０は、外壁部１２によって囲われて屋内と屋外とが区画されている。外壁部１２には、外壁材としてのＡＬＣ（軽量気泡コンクリート）パネルが用いられており、外壁部１２では、ＡＬＣパネルが縦横に並べられて躯体に取り付けられている。
【００２４】
建物１０の外壁部１２には、玄関ドア（玄関）１４、窓１６、明り取り窓１８等が設けられており、建物１０では、玄関ドア１４のドア枠、窓１６の窓枠及び明り取り窓１８の明り取り窓枠等が外壁部１２に形成された開口に嵌め込まれて、外壁部１２又は躯体に取り付けられている。また、建物１０には、玄関ドア１４の上側に玄関庇２０が設けられており、玄関庇２０は、躯体に取り付けられて外壁部１２から屋外に張り出されている。建物１０には、玄関庇２０によって玄関ポーチ２２が形成されており、玄関庇２０の下側の面には、天井２４が形成されている。
【００２５】
また、建物１０には、インナーガレージ２６が形成されており、インナーガレージ２６内は、外壁部１２が開口されて形成された出入口２８を介して屋外に開放されている。なお、建物１０には、インナーガレージ２６の出入口２８を開閉するシャッター等が設けられていてもよい。
【００２６】
図３には、インナーガレージ２６が、出入口２８とは反対側から見た概略図（遠近法による概略図）にて示されている。なお、図面では、インナーガレージ２６の間口方向が矢印Ｗにて示され、インナーガレージ２６の奥行方向が矢印Ｄにて示されている。
【００２７】
図２及び図３に示すように、インナーガレージ２６内は、出入口２８を除く周囲が壁３０によって囲われている。壁３０は、間口方向両側が側壁３０Ａとされ、奥行方向の奥側が奥壁３０Ｂ（図２参照）とされている。また、インナーガレージ２６では、出入口２８の上側（奥行方向手前側）が前壁３０Ｃとされている（図３参照）。
【００２８】
側壁３０Ａ及び奥壁３０Ｂには、外壁部１２と同様の外壁材（ＡＬＣパネル）が用いられており、側壁３０Ａ及び奥壁３０Ｂは、インナーガレージ２６内と建物１０の屋内とを区画している。また、前壁３０Ｃは、ＡＬＣパネルが用いられた外壁部１２（裏側）とされている。
【００２９】
インナーガレージ２６には、周囲が左右の側壁３０Ａ、奥壁３０Ｂ及び前壁３０Ｃによって囲われた上部空間内に天井３６が形成されている。建物１０では、玄関庇２０の天井２４及びインナーガレージ２６の天井３６等が屋外に開放された天井とされており、建物１０では、屋外に開放された天井に本発明の態様に係る天井構造が適用されている。
【００３０】
以下に、インナーガレージ２６の天井３６を例に、建物１０において屋外に開放された天井の天井構造を説明する。図４（Ａ）には、天井３６の主要部が奥行方向に沿う断面図（幅方向視断面図）にて示され、図４（Ｂ）には、天井３６の主要部が間口方向に沿う断面図（長手方向視断面図）にて示されている。
【００３１】
図４（Ａ）及び図４（Ｂ）に示すように、天井３６には、天井下地３８が形成されており、天井下地３８には、各々が長尺かつ断面矩形状に形成された野縁４０及び野縁受け４２が用いられている。
【００３２】
野縁４０は、長手方向が奥行方向とされて、側壁３０Ａの各々の近傍（図４（Ｂ）参照）に配置されていると共に、側壁３０Ａの間（側壁３０Ａ側の野縁４０の間）に予め設定された間隔で配置されている。また、図４（Ａ）に示すように、野縁４０の各々は、長手方向の両端が奥壁３０Ｂ及び前壁３０Ｃの各々の近傍に達するように配置されており、野縁４０の各々は、下面が略同一の水平面上（面一）となるように配置されている。
【００３３】
図４（Ａ）及び図４（Ｂ）に示すように、野縁受け４２は、野縁４０の上側において長手方向が間口方向（野縁４０の長手方向と交差する方向）とされて、複数が奥行方向に所定の間隔で配置されている。天井下地３８では、野縁４０と野縁受け４２との交点の各々において野縁４０が野縁受け４２に連結されている（図示省略）。
【００３４】
また、インナーガレージ２６の上部には、吊りボルト４４が設けられており、吊りボルト４４は、野縁受け４２の各々の長手方向に複数本ずつ配置されている。吊りボルト４４は、長手方向の一端部が１階の天井梁や２階の床梁などに固定されて垂下されており、吊りボルト４４の下端部には、ハンガー４６が取り付けられている。ハンガー４６の各々には、野縁受け４２が係止されている。これにより、天井下地３８は、格子状に組まれた野縁４０及び野縁受け４２が吊りボルト４４を介して建物１０の躯体に支持されている。
【００３５】
一方、図３、図４（Ａ）及び図４（Ｂ）に示すように、天井３６には、目透かし張り用の天井材としての略帯状鋼板製のスパンドレル５０が用いられている。また、天井３６の周縁部には、見切り材５２が設けられており、見切り材５２は、各壁３０（側壁３０Ａ、奥壁３０Ｂ及び前壁３０Ｃ）に沿って配置されている。図５（Ａ）には、スパンドレル５０が幅方向（長手方向と交差する方向）に沿う断面図にて示され、図５（Ｂ）には、見切り材５２が長手方向と交差する方向に沿う断面図にて示されている。
【００３６】
図５（Ａ）に示すように、スパンドレル５０では、厚さ方向の一方の面が意匠面（天井面）としての化粧面５０Ａとされており、スパンドレル５０は、化粧面５０Ａが下側に向けられて天井下地３８に取り付けられ、化粧面５０Ａが天井３６の天井面を形成する。
【００３７】
また、スパンドレル５０には、幅方向の両側に羽部５４、５６が対で形成されており、羽部５４、５６の各々は、スパンドレル５０の長手方向に延設されている。羽部５４、５６には、スパンドレル５０の幅方向端部が化粧面５０Ａとは反対側に折曲されて立板部５８が形成されている。
【００３８】
羽部５４には、立板部５８の先端からスパンドレル５０の幅方向外側に延設された外板部６０Ａ、及び立板部５８の上端からスパンドレル５０の幅方向内側に延設された内板部６０Ｂが形成されている。外板部６０Ａ及び内板部６０Ｂの各々の先端部は、化粧面５０Ａとは反対側に向けて折曲され、さらに内板部６０Ｂの折曲先端がスパンドレル５０の幅方向内側に向けられている。これにより、羽部５４は、立板部５８、外板部６０Ａ及び内板部６０Ｂにより長手方向視が略Ｔ字状に形成されている。
【００３９】
羽部５６には、立板部５８の先端部がスパンドレル５０の幅方向内側に向けて折曲されてさらに折り返されることで断面略Ｕ字状とされた嵌合部６２Ａが形成されており、嵌合部６２Ａ内には、羽部５４の外板部６０Ａが嵌入可能とされている。また、羽部５６には、嵌合部６２Ａの立板部５８とは反対側の先端部からスパンドレル５０の幅方向外側に延設された横板部６２Ｂが形成されており、横板部６２Ｂの先端は、化粧面５０Ａ側に向けて折曲されている。これにより、羽部５６には、羽部５４の外板部６０Ａを収容可能な収容部６４が形成されている。
【００４０】
図４（Ａ）及び図４（Ｂ）に示すように、スパンドレル５０は、野縁４０の下側において、長手方向が野縁４０の各々と交差する方向である間口方向とされて、幅方向（奥行方向）に複数が配列されている。
【００４１】
スパンドレル５０の羽部５６は、嵌合部６２Ａから横板部６２Ｂの範囲において野縁４０の下面に当接され、ビス４０Ａによって野縁４０に締結固定される。また、スパンドレル５０の羽部５４は、幅方向に隣接するスパンドレル５０の羽部５６の嵌合部６２Ａに外板部６０Ａが嵌合されて羽部５６の収容部６４内に収容される。これにより、スパンドレル５０は、羽部５６が野縁４０に固定されて支持されると共に、羽部５４が隣接するスパンドレル５０の羽部５６に重ねられ、羽部５４、５６が野縁４０に取り付けられる。また、天井３６では、互いに隣接するスパンドレル５０の間において立板部５８が所定間隔で対向されて溝状の透かし目地６６が形成される。
【００４２】
図５（Ｂ）に示すように、見切り材５２は、背板６８、上板７０及び下板７２によって長手方向と交差する方向の断面が略コ字状に形成されており、背板６８、上板７０及び下板７２は、長手方向に延設されている。見切り材５２は、背板６８からの上板７０の突出長さ（突出量）が、背板６８からの下板７２の突出長さよりも長くされている。また、見切り材５２は、下板７２の突出先端は、上板７０に向けて折曲されている。
【００４３】
これにより、見切り材５２には、上板７０と下板７２との間において背板６８とは、反対側に向けて開口された収納部７４が形成されており、収納部７４には、化粧面５０Ａ側が下板７２側とされると共に、羽部５４、５６側が上板７０側とされてスパンドレル５０が挿入（差し込み）可能とされている。
【００４４】
天井下地３８には、壁３０（側壁３０Ａ、奥壁３０Ｂ及び前壁３０Ｃ）側の周縁部に見切り材５２が配置されている。図６（Ａ）には、図４（Ａ）の天井３６の主要部が拡大された断面図にて示され、図６（Ｂ）には、図４（Ｂ）の天井３６の主要部が拡大された断面図にて示されている。
【００４５】
図６（Ｂ）に示すように、側壁３０Ａ側において野縁４０は、長手方向が奥行方向にされて側壁３０Ａに沿って配置されている。見切り材５２は、長手方向が野縁４０の長手方向とされて配置されており、見切り材５２は、上板７０がビス４０Ａによって野縁４０の下面に締結固定されている。
【００４６】
また、図６（Ａ）に示すように、各野縁４０の長手方向端部は、奥壁３０Ｂ及び前壁３０Ｃ（図６（Ａ）では、奥壁３０Ｂ側を図示）近傍に配置されている。見切り材５２は、長手方向が奥壁３０Ｂに沿って配置されることで複数の野縁４０の下面側に跨って配置されており、見切り材５２は、上板７０が各々の野縁４０の下面にビス４０Ａによって締結固定されている。これにより、見切り材５２は、収納部７４が壁３０とは反対側に向けて開放された状態で天井下地３８に取り付けられており、見切り材５２は、天井３６の周縁の全周に渡って配置されている。
【００４７】
図３に示すように、天井３６では、スパンドレル５０の幅方向となるインナーガレージ２６の奥行方向について、目地割りされてスパンドレル５０が取り付けられる。この際、壁３０（奥壁３０Ｂ、前壁３０Ｃ）側のスパンドレル５０は、幅方向の所定位置において長手方向に切断されることで、羽部５４又は羽部５６が切除されて、目地割りに応じて幅寸法が調整される。これにより、図６（Ａ）に示すように、奥壁３０Ｂ（前壁３０Ｃ）側のスパンドレル５０は、幅方向端部が見切り材５２の収納部７４に挿入されて、下板７２によって覆われる。
【００４８】
一方、図１には、見切り材５２及び見切り材５２に対応されるスパンドレル５０の長手方向端部が斜視図にて示されている。
【００４９】
図１及び図６（Ｂ）に示すように、側壁３０Ａ側の野縁４０は、長手方向がインナーガレージ２６の奥行方向とされて側壁３０Ａに沿って取り付けられている。見切り材５２は、背板６８が側壁３０Ａの直近とされて（図６（Ｂ）参照）、上板７０が野縁４０の下面に固定されており、見切り材５２の収納部７４内には、スパンドレル５０の長手方向の端部が挿入される（差し込まれる）。
【００５０】
ここで、スパンドレル５０には、見切り材５２の収納部７４に挿入される長手方向端部において見切り材５２の上板７０との相互干渉部分に切欠き部７６が形成されている。切欠き部７６は、スパンドレル５０の長手方向端部を見切り材５２の収納部７４に挿入した際に、相互干渉部分となる見切り材５２の上板７０に重なる部分の羽部５４、５６の各々が立板部５８の上端部から切り取られて形成されている（図１の破線参照）。これにより、スパンドレル５０は、長手方向端部が見切り材５２の収納部７４に挿入されて見切り材５２の下板７２によって覆われる際、羽部５４、５６が見切り材５２の上板７０に干渉するのが防止されている。
【００５１】
次に本実施形態の作用として、スパンドレル５０及び見切り材５２の天井下地３８への取り付けを説明する。
見切り材５２は、長手方向が各壁３０（側壁３０Ａ、奥壁３０Ｂ及び前壁３０Ｃ）に沿うと共に、背板６８が各壁３０の直近とされて配置され、上板７０が野縁４０の下面に固定されて天井下地３８に取り付けられる。見切り材５２が取り付けられた天井下地３８には、野縁４０の下面にスパンドレル５０が取り付けられる。
【００５２】
スパンドレル５０は、各々の長手方向がインナーガレージ２６の間口方向とされ、予め設定された目地割りに合せてインナーガレージ２６の奥行方向に沿って配列されて、野縁４０の下面に取り付けられる。この際、スパンドレル５０は、ビス４０Ａ等によって羽部５６が野縁４０に固定されると共に、羽部５６の嵌合部６２Ａに隣接するスパンドレル５０の羽部５４の外板部６０Ａが嵌め込まれて係止される。これにより、天井３６には、野縁４０によって取り付けられたスパンドレル５０によって、目地割りに合わせた透かし目地６６が形成される。
【００５３】
天井３６では、予め設定された目地割りに合せて奥壁３０Ｂ側及び前壁３０Ｃ側のスパンドレル５０が長手方向に切断されて幅寸法が詰められている。このため、奥壁３０Ｂ側及び前壁３０Ｃ側のスパンドレル５０は、見切り材５２側の羽部５４又は羽部５６が切落とされて、見切り材５２の収納部７４に挿入される。これにより、見切り材５２に挿入されるスパンドレル５０は、羽部５４、５６が見切り材５２の上板７０に干渉するのが抑制されて、スパンドレル５０の切断部分が見切り材５２の下板７２に覆われる。
【００５４】
一方、スパンドレル５０には、側壁３０Ａ側の見切り材５２に対応される長手方向の端部に切欠き部７６が形成される。切欠き部７６は、スパンドレル５０の長手方向端部を見切り材５２の上板７０と下板７２との間の収納部７４に挿入した際、上板７０と重なる部分の羽部５４、５６が切り取られて形成される。
【００５５】
天井下地３８には、スパンドレル５０の羽部５４、５６及び見切り材５２の上板７０の各々が野縁４０の下面に取り付けられる。このため、長手方向の端部に羽部５４、５６を残した状態のスパンドレル５０を見切り材５２の収納部７４に挿入した場合、羽部５４、５６と上板７０とが干渉する。これにより、スパンドレル５０の長手方向端部が見切り材５２の収納部７４に挿入できなかったり、見切り材５２の近傍においてスパンドレル５０の化粧面５０Ａに歪みが生じたりして、天井３６の周縁部に見た目が悪化する（意匠性が損ねられる）。
【００５６】
ここで、スパンドレル５０の長手方向端部には、羽部５４、５６を切り欠いた切欠き部７６が形成される。切欠き部７６は、スパンドレル５０の長手方向端部を見切り材５２の収納部７４に挿入した際、羽部５４、５６と見切り材５２の上板７０とが干渉するのを防止する。これにより、スパンドレル５０の長手方向端部は、見切り材５２の下板７２によって覆われる。したがって、天井３６は、スパンドレル５０と共に見切り材５２を野縁４０の下側に取り付けた場合でも、良好な意匠性が得られる。
【００５７】
また、壁３０としてＡＬＣパネルが用いられている場合、ネジやボルト等によって見切り材５２を壁３０に取り付けるのが難しくなり、取り付け作業においても細心の注意が必要となると共に、取り付け作業も煩雑となる。
【００５８】
これに対して、天井３６では、見切り材５２が壁３０に取り付けたのと同様に、背板６８が壁３０の直近に配置されている。また、見切り材５２は、野縁４０の下面に固定されて天井下地３８に支持されている。このため、天井３６では、見切り材５２を壁３０の壁面に固定する必要が無く、壁３０にＡＬＣパネルが用いられていても、見切り材５２の取り付けのための作業が容易となり、見切り材５２の取り付けの作業性を向上できる。
【００５９】
さらに、天井３６の目地割りによっては、スパンドレル５０の羽部５４、５６が見切り材５２の上板７０に干渉する位置が、見切り材５２の長手方向に変化する。この際、スパンドレル５０の羽部５４、５６に切欠き部７６を形成するので、天井３６の目地割りの影響を受けることなく、スパンドレル５０の羽部５４、５６と見切り材５２とが干渉するのを防止できる。これにより、スパンドレル５０を天井下地３８に取り付ける作業の作業性を一層向上できる。
【００６０】
〔変形例〕
以上説明した本実施形態では、スパンドレル５０の羽部５４、５６に切欠き部７６を形成したが、切欠き部は、見切り材５２の上板７０に形成されてもよい。
【００６１】
図７には、変形例に係る天井３６の主要部の一例が斜視図にて示され、図８には、スパンドレル５０と見切り材５２とが野縁４０に取り付けられた状態が、スパンドレル５０の長手方向に沿う断面図にて示されている。
【００６２】
図７及び図８に示すように、変形例では、スパンドレル５０の羽部５４、５６との相互干渉部分としての見切り材５２の上板７０に略矩形状の切欠き部８０が形成されている。切欠き部８０は、互いに隣接するスパンドレル５０の間において羽部５４と羽部５６とが嵌合された状態で羽部５４、５６に重なる部分の上板７０が略矩形状に切り欠かれて形成されている（図７の破線参照）。見切り材５２は、切欠き部８０の間において、上板７０が野縁４０の下面にビス４０Ａ（図示省略）によって固定される。
【００６３】
スパンドレル５０の各々は、長手方向端部が見切り材５２の収納部７４に挿入される際に、羽部５４、５６が上板７０の切欠き部８０（図８参照）内に差し込まれる。このため、スパンドレル５０の長手方向端部の羽部５４、５６は、見切り材５２の上板７０に重なることなく、野縁４０の下面に当接される。これにより、スパンドレル５０の羽部５４、５６及び見切り材５２の上板７０を野縁４０の下面に取り付ける際、スパンドレル５０の長手方向端部を見切り材５２の収納部７４に挿入しても、羽部５４、５６と上板７０とが干渉するのを防止できる。
【００６４】
したがって、見切り材５２の上板７０に切欠き部８０を形成した場合も、スパンドレル５０の羽部５４、５６に切欠き部７６を形成した場合と同様の効果を奏することができる。
【００６５】
なお、以上説明した本実施形態及び変形例では、スパンドレル５０及び見切り材５２の一方に切欠き部を形成した。しかしながら、見切り材５２を壁３０に固定せずに、スパンドレル５０と共に野縁４０に取り付ける構成は、これに限るものではない。
【００６６】
図９には、見切り材５２を壁３０に固定せずに、見切り材５２をスパンドレル５０と共に、野縁４０に取り付ける構成の一例が、スパンドレル５０の長手方向に沿った断面図にて示されている。
【００６７】
図９に示すように、天井下地３８に替えて天井３６に用いられる天井下地３８Ａでは、スパンドレル５０の長手方向端部に対向される側壁３０Ａ（壁３０）側の野縁４０が、天井下地３８よりも側壁３０Ａから離されて設けられている。野縁４０と側壁３０Ａとの間隔は、見切り材５２の背板６８を側壁３０Ａの直近に配置した状態で、側壁３０Ａと野縁４０との間に上板７０を挿入可能な間隔とされている。
【００６８】
スパンドレル５０は、天井下地３８Ａの野縁４０に取り付けられる。見切り材５２は、上板７０と下板７２との間（収納部７４）にスパンドレル５０の長手方向端部が差し込まれて（挿入されて）、背板６８が側壁３０Ａの直近となるように配置される。また、見切り材５２は、ビス４０Ａ等が用いられて、上板７０と上板７０に重なるスパンドレル５０の羽部５４、５６（羽部５６における嵌合部６２Ａと横板部６２Ｂとの間）が締結固定される。
【００６９】
これにより、見切り材５２は、側壁３０Ａに固定されなくとも、スパンドレル５０を介して天井下地３８Ａに支持される。また、スパンドレル５０の長手方向端部（側壁３０Ａ側の端部）は、羽部５４、５６と見切り材５２の上板７０との干渉が防止されて、見切り材５２の下板７２によって覆われる。このため、天井下地３８Ａによって形成される天井３６では、スパンドレル５０の長手方向端部の見切り材５２への納まりを良好にできて、高い意匠性が得られる。
【００７０】
なお、以上説明した本実施形態及び変形例では、野縁４０の長手方向を奥行方向とし、野縁受け４２の長手方向を間口方向とした。しかしながら、野縁４０の長手方向を間口方向とし、野縁受け４２の長手方向を奥行方向としてもよく、この場合、スパンドレル５０は、長手方向が奥行方向とされて野縁４０の下側に配列されればよい。また、本実施形態及び変形例では、略水平とされた天井３６を例に説明したが、天井は、傾斜されていてもよい。
【００７１】
また、本実施形態及び変形例では、羽部５４、５６が形成されたスパンドレル５０を例に説明した。しかしながら、天井材としてのスパンドレルは、隣接する羽部が重ねられて野縁の下面に固定される構成であればよく、スパンドレルの羽部は、隣接するスパンドレルの間で羽部が重なる形状であればよい。また、天井材は、スパンドレルに限らず、目透かし張り用の天井材であればよい。
【００７２】
さらに、本実施形態及び変形例では、屋外に開放された天井としてインナーガレージ２６の天井３６を例に説明した。しかしながら、本発明は、スパンドレルなどの目透かし張り用の天井材が用いられた天井であればよく、屋内の天井であってもよい。
【００７３】
また、屋外に開放された天井は、インナーガレージ２６の天井３６や玄関庇２０の天井２４に限らず、建物の屋外に開放された天井において、軒天や外壁と同等の防火性能が要求される部分や軒天や外壁と同等の防火性能が推奨される部分における天井構造に適用できる。
【００７４】
例えば、本発明の天井構造は、建物の屋根において外壁から張り出した軒先部分の天井、建物の１階部分などにおいて壁に変えて支柱が用いられて（吹抜けにされて）屋外に開放されたピロティの天井、外壁の一部を屋内に入り込ませることで屋外に開放された小部屋（アルコープ）の天井などに適用できる。また、本発明の天井構造は、ベランダ（屋根付きバルコニーや屋根付きの縁側）の屋根や上階のバルコニーの床下部分などの建物から屋外に張り出したキャンチ構造における天井に適用できる。
【符号の説明】
【００７５】
１０    建物
２６    インナーガレージ
３０Ａ    側壁
３６    天井
３８    天井下地
４０    野縁
５０    スパンドレル
５０Ａ    化粧面
５２    見切り材
５４、５６    羽部
６６    透かし溝
６８    背板
７０    上板
７２    下板
７６、８０    切欠き部
【図１】
2019196613.tif 000003
【図２】
2019196613.tif 000004
【図３】
2019196613.tif 000005
【図４】
2019196613.tif 000006
【図５】
2019196613.tif 000007
【図６】
2019196613.tif 000008
【図７】
2019196613.tif 000009
【図８】
2019196613.tif 000010
【図９】
2019196613.tif 000011